(57)【特許請求の範囲】
【請求項１】
受信したディジタル放送の中から所望の伝送チャンネルを選択する手段と、
上記選択された伝送チャンネルによって伝送されるトランスポートストリームを復調する手段と、
上記復調されたトランスポートストリームの中から、所望のプログラムのトランスポートストリームを抽出する抽出手段と、
上記抽出手段で抽出された上記所望のプログラムのトランスポートストリームをデコードするデコーダと、
再生装置からトランスポートストリームを受信するためのディジタルインターフェース手段と、
上記再生装置で再生され、上記ディジタルインターフェース手段を介して受信したトランスポートストリームが複数のプログラムが多重化された多重化トランスポートストリームかどうかを判別する判別手段と
を備え、
上記判別手段により上記再生装置で再生されたトランスポートストリームが複数のプログラムが多重化された多重化トランスポートストリームであると判別されたときには、警告表示を行うようにしたディジタル放送の受信装置。
【請求項２】
上記判別手段は、上記トランスポートストリーム中の所定のテーブルを解析し、該トランスポートストリームで送られるプログラム数を取得することにより、上記再生装置で再生され、上記ディジタルインターフェース手段を介して受信したトランスポートストリームが複数のプログラムが多重化された多重化トランスポートストリームかどうかを判別する請求項１に記載のディジタル放送の受信装置。
【請求項３】
上記判別手段は、上記トランスポートストリーム中の所定のテーブルを解析し、該トランスポートストリームで送られるプログラム番号を取得するとともに、上記再生装置で再生され、上記ディジタルインターフェース手段を介して受信したトランスポートストリームが複数のプログラムが多重化された多重化トランスポートストリームかどうかを判別する請求項１に記載のディジタル放送の受信装置。
【請求項４】
上記判別手段により上記再生装置で再生されたトランスポートストリームが複数のプログラムが多重化された多重化トランスポートストリームであると判別されたときには、さらに、該プログラムのトランスポートストリームのデコードを行わないようにした請求項１に記載のディジタル放送の受信装置。
【請求項５】
上記判別手段により上記再生装置で再生されたトランスポートストリームが複数のプログラムが多重化された多重化トランスポートストリームであると判別されたときには、さらに、少なくとも映像信号又は音声の一方をミュートするようにした請求項１に記載のディジタル放送の受信装置。
【請求項６】
上記ディジタルインターフェース手段は、上記抽出手段に接続されている請求項１に記載のディジタル放送の受信装置。
【請求項７】
ディジタル放送信号を受信する受信装置と再生装置とがディジタルインターフェースを介して接続され、
上記再生装置で所定の記録媒体に記録されたトランスポートストリームを再生する際、
上記ディジタル放送の受信装置において、上記再生装置で再生され、上記ディジタルインターフェース手段を介して受信したトランスポートストリームが複数のプログラムが多重化された多重化トランスポートストリームかどうかを判別し、
上記判別結果に応じて、上記再生装置で再生されたトランスポートストリームが複数のプログラムが多重化された多重化トランスポートストリームであると判別されたときには、警告表示を行うようにしたトランスポートストリームの処理方法。
【発明の詳細な説明】
【技術分野】
【０００１】
この発明は、例えば、映像データ及びオーディオデータがＭＰＥＧ（Moving Picture Experts Group）２方式のトランスポートストリームで放送される信号を受信し、このトランスポートストリームをデジタルビデオテープ、光ディスクや磁気ディスクなどの記録媒体に記録／再生するようなディジタル衛星放送の受信及び記録／再生システムに用いられるディジタル放送の受信装置及び再生されたトランスポートストリームの処理方法に関する。
【背景技術】
【０００２】
近年、ディジタルビデオ機器やディジタルオーディオ機器間でビデオデータやオーディオデータを高速で転送するためのディジタルインターフェースとして、ＩＥＥＥ１３９４が普及し始めている。ＩＥＥＥ１３９４は、アイソクロナス（Isochronous ）転送モードと、アシンクロナス（Asynchronous）転送モードとがサポートされている。アイソクロナス転送モードでは送信の遅延時間が保証されており、ビデオデータやオーディオデータのような時間的に連続するデータストリームを高速転送するのに用いて好適である。アシンクロナス転送モードは、相手先のノードに必ずデータを送信することが保証されており、コマンド等のデータを確実に転送するのに用いて好適である。
【０００３】
また、近年、ディジタル衛星放送が普及し始めている。ディジタル衛星放送では、ディジタル映像データ及びオーディオデータが圧縮されてパケット化され、ＭＰＥＧ２方式のトランスポートストリームにより伝送される。伝送パケットのヘッダには、ＰＩＤと呼ばれるパケット識別子が設けられる。そして、複数のプログラムの映像パケット及び音声パケットが同一のストリームに多重化されて送信される。
【０００４】
このようなディジタル衛星放送を受信する際には、テレビジョン受像機にＩＲＤ（Integrated Receiver Decoder ）と呼ばれるディジタル衛星放送の受信用のデコーダが接続される。パラボラアンテナで受信されたディジタル衛星放送の信号はＩＲＤに供給される。ＩＲＤで、ＭＰＥＧ２のトランスポートストリームが復調され、このＭＰＥＧ２のトランスポートストリームから、ＰＩＤにより、所望のプログラムの映像パケット及び音声パケットが抽出され、この映像パケット及び音声パケットからビデオ信号及びオーディオ信号がデコードされる。このビデオ信号及びオーディオ信号がＩＲＤからテレビジョン受像機に供給される。
【０００５】
このようなディジタル衛星放送を受信するためのＩＲＤに、ＩＥＥＥ１３９４のディジタルインターフェースを設けることが提案されている。ＩＲＤに、ＩＥＥＥ１３９４のディジタルインターフェースを設けると、ＩＲＤと記録／再生装置等の機器を接続して、ディジタル衛星放送の受信及び記録／再生システムが構築できる。そして、このようなシステムを構築すると、ディジタル衛星放送で送られてきたＭＰＥＧ２のトランスポートストリームをそのまま記録／再生することが可能になる。
【０００６】
すなわち、記録時には、ＩＲＤ側で受信されたＭＰＥＧ２のトランスポートストリームは、ＩＥＥＥ１３９４のディジタルインターフェースを介して、記録／再生機器に送られる。そして、このＭＰＥＧ２のトランスポートストリームがそのまま記録／再生機器により記録媒体に記録される。そして、再生時には、記録媒体からＭＰＥＧ２のトランスポートストリームが再生され、この再生されたＭＰＥＧ２のトランスポートストリームがＩＥＥＥ１３９４のディジタルインターフェースを介して、ＩＲＤに送られる。ＩＲＤで、このＭＰＥＧ２のトランスポートストリームがデコードされる。
【発明の開示】
【発明が解決しようとする課題】
【０００７】
このように、ＩＲＤにＩＥＥＥ１３９４のディジタルインターフェースを設け、ＩＲＤと記録／再生装置とを接続してディジタル衛星放送の受信及び記録／再生システムを構築すると、ディジタル衛星放送で送られてきたＭＰＥＧ２のトランスポートストリームをそのままデジタルビデオテープ、光ディスクや磁気ディスクなどの記録媒体に記録／再生することが可能になる。
【０００８】
ところで、ディジタル衛星放送では、同一の搬送波周波数に、複数のプログラムのパケットが多重化されて送信されている。したがって、上述のように、ディジタル衛星放送で送られてきたＭＰＥＧ２のトランスポートストリームをテープカセットなどの記録媒体に記録／再生する場合、記録方式としては、所望の１つのプログラムの映像パケット及び音声パケットをＩＲＤ側で抽出してディジタル記録／再生機器に送って記録するシングルプログラム記録方式と、１つの搬送波周波数で送られてくる複数のプログラムの映像パケット及び音声パケットをＩＲＤからディジタル記録／再生装置に送ってそのまま記録するマルチプログラム記録方式とが考えられる。
【０００９】
マルチプログラム記録方式は、複数のプログラムを同時に記録できるという利点があるが、マルチプログラム記録方式を採用すると、再生時に、複数のプログラムのパケット中から所望のプログラムを選択させ、このプログラムの映像パケット及び音声パケットを抽出する処理が必要になり、ユーザに混乱を与えると共に処理が複雑化する。また、ディジタル衛星放送の番組には、受信契約に基づいてスクランブルがかけられており、マルチプログラム記録方式を採用すると、受信契約が守られなくなる可能性がある。このため、現在考えられているＩＲＤでは、シングルプログラム記録方式を一般に採用することが考えられている。
【００１０】
しかしながら、マルチプログラム記録方式は複数のプログラムを同時に記録できるという利点があり、さらに今後の多チャンネル化を考えると、今後登場するＩＲＤでは、マルチプログラム記録方式が採用される可能性が高い。
【００１１】
このように、マルチプログラム記録をサポートしたＩＲＤが発売されると、マルチプログラム記録方式で記録した記録媒体と、シングルプログラム記録方式で記録した記録媒体とが混在することになる。このため、マルチプログラム記録方式に対応していないＩＲＤとＩＥＥＥ１３９４で接続された記録／再生装置にマルチプログラム記録方式で記録した記録媒体が装着され、再生される可能性がある。このように、マルチプログラム記録方式をサポートしてないＩＲＤに、マルチプログラム記録方式のトランスポートストリームが送られると、正しい再生ができず、ユーザに混乱を与えるおそれがある。
【００１２】
したがって、この発明の目的は、再生されたトランスポートストリームがマルチプログラム記録方式のものかシングルプログラム記録方式のものかを判断でき、マルチプログラム記録方式のものかシングルプログラム記録方式のものかに応じた適切な処理が行なえるディジタル放送の受信装置及びトランスポートストリーム処理方法を提供することにある。
【課題を解決するための手段】
【００１３】
上述した課題を解決するために、第１の発明は、受信したディジタル放送の中から所望の伝送チャンネルを選択する手段と、
選択された伝送チャンネルによって伝送されるトランスポートストリームを復調する手段と、
復調されたトランスポートストリームの中から、所望のプログラムのトランスポートストリームを抽出する抽出手段と、
抽出手段で抽出された所望のプログラムのトランスポートストリームをデコードするデコーダと、
再生装置からトランスポートストリームを受信するためのディジタルインターフェース手段と、
再生装置で再生され、ディジタルインターフェース手段を介して受信したトランスポートストリームが複数のプログラムが多重化された多重化トランスポートストリームかどうかを判別する判別手段と
を備え、
判別手段により再生装置で再生されたトランスポートストリームが複数のプログラムが多重化された多重化トランスポートストリームであると判別されたときには、警告表示を行うようにしたディジタル放送の受信装置である。
【００１４】
また、第２の発明は、ディジタル放送信号を受信する受信装置と再生装置とがディジタルインターフェースを介して接続され、
再生装置で所定の記録媒体に記録されたトランスポートストリームを再生する際、
ディジタル放送の受信装置において、再生装置で再生され、ディジタルインターフェース手段を介して受信したトランスポートストリームが複数のプログラムが多重化された多重化トランスポートストリームかどうかを判別し、
判別結果に応じて、再生装置で再生されたトランスポートストリームが複数のプログラムが多重化された多重化トランスポートストリームであると判別されたときには、警告表示を行うようにしたトランスポートストリームの処理方法である。
【００１５】
記録／再生装置において再生されたＭＰＥＧ２のトランスポートストリームは、ＩＲＤにおいてシングルプログラム記録方式のものかマルチプログラム記録方式のものかが判断される。そして、マルチプログラム記録方式のトランスポートストリームなら、複数のプログラムの中で、例えば、プログラム番号の最も小さいプログラムの映像パケット及び音声パケットが抽出され、この映像パケット及び音声パケットがデコードされる。また、マルチプログラム記録方式のトランスポートストリームなら、トランスポートストリームをデコードをせず、さらに映像や音声をミュートさせたり、再生できない旨の警告を表示させることも可能である。これにより、マルチプログラム記録方式で記録した記録媒体が記録／再生装置に装着され、再生されたＭＰＥＧ２のトランスポートストリームがマルチプログラム記録方式に対応していないＩＲＤに入力された場合でも、ユーザに混乱を与えることがなくなる。
【発明の効果】
【００１６】
この発明によれば、記録／再生装置からのＭＰＥＧ２のトランスポートストリームを再生させる際に、送られてきたＭＰＥＧ２のトランスポートストリームがシングルプログラム記録方式のものかマルチプログラム記録方式のものかが判断される。そして、マルチプログラム記録方式のトランスポートストリームなら、複数のプログラムの中でプログラム番号の最も小さいプログラムの映像パケット及び音声パケットが抽出され、この映像パケット及び音声パケットがデコードされる。また、マルチプログラム記録方式のトランスポートストリームなら、トランスポートストリームをデコードをせず、さらに映像や音声をミュートさせたり、再生できない旨の警告を表示させることができる。これにより、マルチプログラム記録方式で記録したテープカセットがディジタルビデオカセット記録／再生装置２に装着され、再生時にＭＰＥＧ２のトランスポートストリームがマルチプログラム記録方式に対応していないＩＲＤに入力されたれた場合でも、ユーザに混乱を与えることがなくなる。
【発明を実施するための最良の形態】
【００１７】
以下、この発明の実施の形態について図面を参照して説明する。図１は、この発明が適用されたディジタル衛星放送の受信及び記録／再生システムを示すものである。
【００１８】
図１において、１はＩＲＤ、２はディジタルビデオカセット記録／再生装置、３はテレビジョン受像機である。これらＩＲＤ１、ディジタルビデオカセット記録／再生装置２、テレビジョン受像機３により、ディジタル衛星放送の受信及び記録／再生システムが構築される。ＩＲＤ１及びディジタルビデオカセット記録／再生装置２は、ＩＥＥＥ１３９４のディジタルインターフェースを備えており、ＩＲＤ１とディジタルビデオカセット記録／再生装置２とは、ＩＥＥＥ１３９４のディジタルインターフェースのケーブル８を介して接続されている。
【００１９】
ＩＲＤ１は、ディジタル衛星放送の受信信号をデコードし、例えばＮＴＳＣ方式のビデオ信号及びオーディオ信号を形成するものである。ＩＲＤ１のアンテナ端子は、ケーブル６を介して、パラボラアンテナ４に取り付けられている低雑音コンバータ５に接続される。衛星からの電波は、例えば、１２ＧＨｚ帯で送信されてくる。この衛星からの電波は、パラボラアンテナ４で受信され、パラボラアンテナ４に取り付けられた低雑音コンバータ５で、例えば、１ＧＨｚ帯の信号に変換される。
【００２０】
低雑音コンバータ５の出力がケーブル６を介してＩＲＤ１のアンテナ端子に供給される。ＩＲＤ１で、受信信号の中から所望の搬送波の信号が選択され、ＭＰＥＧ２のトランスポートストリームが復調される。このトランスポートストリームの中から、所望のプログラムの映像パケット及び音声パケットが抽出され、この映像パケット及び音声パケットのデコード処理が行なわれ、例えばＮＴＳＣ方式のビデオ信号及びオーディオ信号がデコードされる。
【００２１】
ＩＲＤ１のビデオ出力端子及びオーディオ出力端子は、ケーブル７を介して、テレビジョン受像機３のビデオ入力端子及びオーディオ入力端子に接続される。ＩＲＤ１でデコードされたビデオ信号及びオーディオ信号は、テレビジョン受像機３のビデオ入力端子及びオーディオ入力端子に供給され、テレビジョン受像機３には、所望のプログラムの受信画面が映出されるとともに、その音声が出力される。
【００２２】
ディジタルビデオカセット記録／再生装置２は、同一のテープカセットでディジタル記録とアナログ記録とが行なえる。ＩＲＤ１とディジタルビデオカセット記録／再生装置２とは、ＩＥＥＥ１３９４のディジタルインターフェースのケーブル８を介して接続される。
【００２３】
また、ディジタルビデオカセット記録／再生装置２のビデオ出力端子及びオーディオ出力端子は、ケーブル９を介して、テレビジョン受像機３のビデオ入力端子及びオーディオ入力端子に接続される。ディジタルビデオカセット記録／再生装置２のアンテナ端子は、ケーブル１０を介して、地上波アンテナ１０に接続される。
【００２４】
このシステムでは、ＩＲＤ１で受信したディジタル衛星放送の受信出力に基づくＭＰＥＧ２のトランスポートストリームを、ディジタルビデオカセット記録／再生装置２で記録／再生させることが可能である。この時の記録方式としては、複数のトランスポートストリームの中から１つのプログラムのトランスポートストリームを抽出して記録するシングル記録方式が採用されている。
【００２５】
すなわち、ＩＲＤ１からのＭＰＥＧ２のトランスポートストリームをディジタルビデオカセット記録／再生装置で記録する場合には、ＩＲＤ１で所望の１つのプログラムの映像パケット及び音声パケットが抽出されてデスクランブルされる。この所望の１つのプログラムの映像パケット及び音声パケットからなるＭＰＥＧ２のトランスポートストリームがＩＲＤ１からが出力され、ＩＥＥＥ１３９４のディジタルインターフェースを介して、ディジタルビデオカセット記録／再生装置２に送られる。
【００２６】
ディジタルビデオカセット記録／再生装置２で、この所望の１つのプログラムの映像パケット及び音声パケットからなるＭＰＥＧ２のトランスポートストリームの記録処理がなされ、このトランスポートストリームがディジタルビデオカセット記録／再生装置２に装着されたテープカセットに記録される。
【００２７】
再生時には、シングル記録方式でＭＰＥＧ２のトランスポートストリームが記録されたテープカセットがディジタルビデオカセット記録／再生装置２に装着され、このテープカセットが再生される。再生されたＭＰＥＧ２のトランスポートストリームは、ＩＥＥＥ１３９４のディジタルインターフェースを介して、ＩＲＤ１に送られる。
【００２８】
ＩＲＤ１で、このＭＰＥＧ２のトランスポートストリームに対するデコード処理が行なわれ、例えばＮＴＳＣ方式のビデオ信号及びオーディオ信号が復調される。この信号がテレビジョン受像機３に供給され、テレビジョン受像機３には、ディジタルビデオカセット記録／再生装置２に装着されたテープカセットから再生されたＭＰＥＧ２のトランスポートストリームに基づく受信画面が映出されるとともに、その音声が出力される。
【００２９】
また、ディジタルビデオカセット記録／再生装置２は、地上波放送の信号をアナログ処理して、装着されたテープカセットに記録させることができる。
【００３０】
地上波放送の信号をアナログ処理してテープカセットに記録する場合には、アンテナ１１で地上波放送の信号が受信され、この受信信号がディジタルビデオカセット記録／再生装置２内の地上波チューナ回路に供給される。この地上波チューナ回路で、所望のチャンネルの信号が選択され、受信信号から、アナログビデオ信号とオーディオ信号が復調される。このアナログビデオ信号及びオーディオ信号は、ディジタルビデオカセット記録／再生装置２に装着されたテープカセットにアナログ記録される。
【００３１】
ビデオ信号及びオーディオ信号がアナログ記録されたビデオカセットの再生を行う場合には、このビデオカセットがディジタルビデオカセット記録／再生装置２に装着されて再生される。ディジタルビデオカセット記録／再生装置２で、この再生信号がケーブル９を介してテレビジョン受像機３に送られ、テレビジョン受像機３に、テープカセットから再生されたアナログ信号に基づく受信画面が映出されるとともに、その音声が出力される。
【００３２】
上述のように、このシステムでは、ＩＲＤ１からのＭＰＥＧ２のトランスポートストリームを、ディジタルビデオカセット記録／再生装置２で記録／再生させることが可能であり、この時の記録方式としては、１つのプログラムからなるトランスポートストリームを記録するシングル記録方式が採用されている。ところが、複数のプログラムからなるトランスポートストリームを記録するようにしたマルチプログラム記録方式で記録したテープカセットがディジタルビデオカセット記録／再生装置２に装着される可能性がある。
【００３３】
この発明の実施の形態では、ディジタルテープカセット記録／再生装置２からのトランスポートストリームをデコードする際に、送られてきたＭＰＥＧ２のトランスポートストリームがシングルプログラム記録方式のものかマルチプログラム記録方式のものかが判断される。そして、シングルプログラム記録方式のトランスポートストリームなら、そのプログラムの映像パケット及び音声パケットが抽出され、この映像パケット及び音声パケットがデコードされる。マルチプログラム記録方式のトランスポートストリームなら、複数のプログラムの中でプログラム番号の最も小さいプログラムの映像パケット及び音声パケットが抽出され、この映像パケット及び音声パケットがデコードされる。例えば、プログラム番号が「＃１」、「＃２」、「＃３」のストリームなら、プログラム番号「＃１」の映像パケット及び音声パケットが抽出され、この映像パケット及び音声パケットがデコードされる。
【００３４】
このように、ディジタルビデオカセット記録／再生装置２から送られてきたトランスポートストリームがマルチプログラム記録方式のもののときには、複数のプログラムの中でプログラム番号の最も小さいプログラムのデコードを行なうことで、マルチプログラム記録方式で記録したテープカセットがディジタルビデオカセット記録／再生装置２に装着された場合でも、ユーザに混乱を与えることなく対処できる。
【００３５】
なお、上述の例では、複数のプログラムの中でプログラム番号の最も小さいプログラムのデコードしているが、これに限られるものではない。
【００３６】
図２は、ＩＲＤ１の構成を示すものである。図１に示したように、例えば１２ＧＨｚ帯の電波で衛星を介して送られてくるディジタル衛星放送の電波は、パラボラアンテナ４で受信され、パラボラアンテナ４に取り付けられた低雑音コンバータ５で、１ＧＨｚ帯の信号に変換される。この低雑音コンバータ５の出力がケーブル６を介してＩＲＤ１のアンテナ端子２１に供給される。アンテナ端子２１からの信号は、チューナ回路２２に供給される。
【００３７】
チューナ回路２２は、受信信号の中から所定の搬送波周波数の信号を選択する周波数選択回路と、ＱＰＳＫ（Quadrature Phase Shift Keying ）復調処理を行なう復調回路と、エラー訂正処理回路を備えている。チューナ回路２２で、制御用ＣＰＵ（Central Processing Unit ）２３からの設定信号にもとづいて、受信信号の中から所望の搬送波周波数の信号が選択される。この受信信号がＱＰＳＫ（Quadrature Phase Shift Keying ）復調され、更に、誤り訂正処理が施される。
【００３８】
チューナ回路２２の出力は、デスクランブラ２４に供給される。デスクランブラ２４には、受信されたＥＣＭ（Entitlement Control Message ）データ及びＥＭＭ（Entitlement Management Message）データが入力されると共に、ＩＣカードスロット２６に装着されているＩＣカード２５に記憶されているデスクランブル用の鍵データが供給される。デスクランブラ２４は、この受信されたＥＣＭデータ及びＥＭＭデータと、ＩＣカード２５の鍵データを用いて、ＭＰＥＧトランスポートストリームのデスクランブルを行なう。デスクランブルされたＭＰＥＧ２のトランスポートストリームは、デマルチプレクサ２７に送られる。
【００３９】
デマルチプレクサ２７は、ＣＰＵ２３からの指令に基づいて、デスクランブラ２２からのストリームの中から、所望のパケットを分離するものである。伝送パケットには、ヘッダ部にパケット識別子（ＰＩＤ）が設けられている。デマルチプレクサ２７で、このＰＩＤに基づいて、所望のプログラムの映像パケット及び音声パケットが抽出される。この所望のプログラムの映像パケットは、ＭＰＥＧ２ビデオデコーダ２８に送られ、音声パケットは、ＭＰＥＧオーディオデコーダ２９に送られる。
【００４０】
ＭＰＥＧ２ビデオデコーダ２８は、デマルチプレクサ２７からの映像信号のパケットを受け取り、ＭＰＥＧ２方式のデコード処理を行なって、ビデオデータを形成する。このビデオデータは、ＮＴＳＣ変換回路３０に供給される。ＮＴＳＣ変換回路３０で、ＭＰＥＧビデオデコーダ２８でデコードされたビデオデータがＮＴＳＣ方式のビデオ信号に変換される。
【００４１】
また、ＮＴＳＣ変換回路３０に対して、表示制御回路４１及びコピー禁止制御回路４２が設けられる。表示制御回路４１は、必要に応じて、画面上に種々の表示画面を発生させるものである。また、この表示制御回路４１により、必要に応じて、画面全体をミュートさせることができる。コピー禁止制御回路４２は、映像の著作権を保護するために、必要に応じてコピー禁止制御信号を発生するものである。
【００４２】
ＮＴＳＣ変換回路３０の出力がアナログビデオ出力端子３１に供給される。アナログビデオ出力端子３１からＮＴＳＣ方式のアナログビデオ信号が出力される。
【００４３】
ＭＰＥＧオーディオデコーダ２９は、デマルチプレクサ２７からの音声パケットを受け取り、ＭＰＥＧ方式の音声デコード処理を行なって、データ圧縮前のオーディオデータを形成する。デコードされたオーディオデータは、Ｄ／Ａコンバータ３２でアナログオーディオ信号に変換された後、アナログオーディオ出力端子３３に供給される。アナログオーディオ出力端子３３からアナログオーディオ信号が出力される。
【００４４】
ＩＲＤ１に対する入力は、入力部３６から与えられる。入力部３６としては、リモートコントローラ３７、マウス３８が用意されている。また、モデム３５が設けられ、モデム３５により、課金情報が電話回線を介して放送局又は課金センターへ送られる。
【００４５】
受信信号の搬送波周波数の設定は、視聴者が入力したチャンネル設定信号に基づいて行なわれる。所望のプログラムに設定する時には、ＮＩＴ（Network Information Table ）を参照することにより、チューナー５１の受信周波数が所定の搬送波周波数に設定される。そして、その搬送波周波数でのチャンネルに関する情報であるＰＡＴ（Program Association Table ）を参照して、所望のチャンネルに関する情報であるＰＭＴ（Program Map Table ）のＰＩＤのパケットが抽出される。このＰＭＴを参照することにより、所望のチャンネルの映像、音声、付加データのパケットのＰＩＤが得られる。
【００４６】
また、ＩＲＤ１には、ＩＥＥＥ１３９４のディジタルインターフェース３４が設けられている。デマルチプレクサ２７とＩＥＥＥ１３９４のインターフェース３４との間は、トランスポートストリームを入／出力することができる。ディジタルビデオカセット記録／再生装置２でＭＰＥＧ２のトランスポートストリームを記録させる場合には、デマルチプレクサ２７で所望のプログラムの映像パケット及び音声パケットが抽出される。そして、この所望のプログラムの映像パケット及び音声パケットからなるＭＰＥＧ２のトランスポートストリームは、デマルチプレクサ２７から、ＩＥＥＥ１３９４のディジタルインターフェース３４を介して、ディジタルビデオカセット記録／再生装置２に向けて送られる。
【００４７】
また、ディジタルビデオカセット記録／再生装置２で再生されたＭＰＥＧ２のトランスポートストリームをデコードする場合には、ディジタルビデオカセット記録／再生装置２からのＭＰＥＧ２のトランスポートストリームがＩＥＥＥ１３９４のディジタルインターフェース３４を介して入力され、デマルチプレクサ２７に送られる。デマルチプレクサ２７で、このＭＰＥＧ２のトランスポートストリームから、映像パケットと音声パケットとが分離される。映像パケットは、ＭＰＥＧ２ビデオデコーダ２８に送られてデコードされる。音声パケットは、ＭＰＥＧオーディオデコーダ２９に送られてデコードされる。
【００４８】
図３は、ディジタルビデオカセット記録／再生装置２の構成を示すものである。このディジタルビデオカセット記録／再生装置２は、前述したように、ディジタル記録／再生とアナログ記録／再生とが行なえる。ディジタル記録／再生を行なうために、ディジタル記録／再生回路５２と、チャンネルエンコーダ／デコーダ５３が設けられる。アナログ記録／再生を行なうために、アナログ記録／再生回路６２が設けられる。
【００４９】
全体の制御はＣＰＵ６５により行なわれる。また、入力部６６から種々の動作を行なうための入力が与えられる。
【００５０】
ＩＲＤ１からのトランスポートストリームを記録する場合には、ＩＥＥＥ１３９４のディジタルインターフェース５１を介して、ＩＲＤ１からのＭＰＥ２のトランスポートストリームが入力される。このＭＰＥＧ２のトランスポートストリームは、ディジタル記録／再生回路５２に供給される。ディジタル記録／再生回路５で、このトランスポートストリームのデータに対してエラー訂正符号化処理が行なわれる。ディジタル記録／再生回路５２の出力がチャンネルエンコーダ／デコーダ回路５３に供給され、変調される。チャンネルエンコーダ／デコーダ回路５３の出力がヘッド５４に供給される。これにより、ディジタルビデオカセット記録／再生装置２に装着されたテープカセットのテープ５５に、ＩＲＤ１からのトランスポートストリームが記録される。
【００５１】
ＭＰＥＧ２のトランスポートストリームが記録されているテープカセットを再生する場合には、テープ５５の再生信号がヘッド５４で再生され、ヘッド５４の出力がチャンネルエンコーダ／デコーダ５３に供給され、復調される。チャンネルエンコーダ／デコーダ５３の出力がディジタル記録／再生回路５２に供給される。ディジタル記録／再生回路５２で、エラー訂正処理が行なわれる。ディジタル記録／再生回路５２の出力がＩＥＥＥ１３９４のディジタルインターフェース５１を介して、ＩＲＤ１１のデマルチプレクサ２７に送られる。
【００５２】
ＩＲＤ１のデマルチプレクサ２７（図２）で、このトランスポートストリームから映像パケットと音声パケットとに分離される。映像パケットは、ＭＰＥＧ２ビデオデコーダ２８で伸長され、ＮＴＳＣ変換回路３０でＮＴＳＣ方式のビデオ信号に変換され、ビデオ出力端子３１からテレビジョン受像機３に送られる。音声パケットは、ＭＰＥＧオーディオデコーダ２９で伸長され、Ｄ／Ａコンバータ３２でアナログ信号に変換され、オーディオ出力端子３３からテレビジョン受像機３に送られる。
【００５３】
図３において、地上波放送をアナログ記録する場合には、地上波の受信信号がアンテナ入力端子６０に供給され、アンテナ入力端子６０からの信号が地上波チューナ回路６１に供給される。地上波チューナ回路６１で、所望の放送の受信信号が選択され、この受信信号から例えばＮＴＳＣ方式のアナログのビデオ信号及びオーディオ信号が復調される。このアナログビデオ信号及びアナログオーディオ信号がアナログ記録／再生回路６２に供給される。アナログ記録／再生回路６２で、ビデオ信号及びオーディオ信号の記録処理が行なわれる。すなわち、輝度信号はＦＭ変調され、クロマ信号は低域周波数に変換され、オーディオ信号はＦＭ変調される。これらの信号が多重化され、この信号がヘッド５４に供給される。ヘッド５４により、装着されたテープカセットのテープ５５に、アナログのビデオ信号及びオーディオ信号が記録される。
【００５４】
アナログ記録されたテープカセットを再生する場合には、テープ５５の信号がヘッド５４により再生され、アナログ記録／再生回路６２に供給される。アナログ記録／再生回路６２で、ＮＴＳＣ方式のビデオ信号及びオーディオ信号の再生処理が行なわれる。すなわち、再生信号から、ＦＭ変調輝度信号と、低域変換クロマ信号と、ＦＭ変調オーディオ信号とが抽出される。ＦＭ変調輝度信号に対してＦＭ復調処理が行なわれて輝度信号が復調され、低域変換クロマ信号が３．５８ＭＨｚの搬送波周波数のクロマ信号に戻される。この輝度信号とクロマ信号とからＮＴＳＣ方式のビデオ信号が形成される。また、ＦＭ変調オーディオ信号に対してＦＭ復調処理が行なわれ、オーディオ信号が復調される。このビデオ信号及びオーディオ信号は、ビデオ出力端子６３及びオーディオ出力端子６４から出力される。
【００５５】
この発明の実施の形態では、ディジタルテープカセット記録／再生装置２で再生されたトランスポートストリームをデコードする際に、送られてきたトランスポートストリームがシングルプログラム記録方式のものかマルチプログラム記録方式のものかがＩＲＤ１で判断され、シングルプログラム記録方式のトランスポートストリームなら、そのプログラムの音声パケット及び映像パケットが抽出され、この映像パケット及び音声パケットがデコードされ、マルチプログラム記録方式のトランスポートストリームなら、複数のプログラムの中でプログラム番号の最も小さいプログラムの映像パケット及び音声パケットが抽出され、この映像パケット及び音声パケットがデコードされる。これにより、マルチプログラム記録方式で記録したテープカセットがディジタルビデオカセット記録／再生装置２に装着され、再生された時にＭＰＥＧ２のトランスポートストリームがマルチプログラム記録方式に対応していないＩＲＤに入力されたれた場合でも、ユーザに混乱を与えることなく対処できる。
【００５６】
図４は、このときのデマルチプレクサ２７の処理を示すフローチャートである。図４に示すように、先ず、ディジタルビデオカセット記録／再生装置２から送られてきたトランスポートストリームがデマルチプレクサ２７によって分解されてＰＩＤが抽出され、ＰＡＴが解析される。ＰＡＴの情報から、このストリームで送られるプログラム番号及びその数が取得される（ステップＳ１）。
【００５７】
ＰＡＴの情報からプログラム数が単数かどうかが判断される（ステップＳ２）。プログラム数が単数なら、シングルプログラム記録方式であるとして、そのプログラム番号が選択され（ステップＳ３）、そのプログラム番号の映像パケット及び音声パケットを取得してデコード処理が行なわれる（ステップＳ４）。
【００５８】
プログラム数が単数でなければ、プログラム番号中で最小値のプログラム番号が選択され（ステップＳ５）、そのプログラム番号の映像パケット及び音声パケットを取得してデコード処理が行なわれる（ステップＳ４）。
【００５９】
以上のように、ＰＡＴには、そのトランスポートストリームで伝送されるプログラムのプログラム番号と、それに関するＰＭＴのＰＩＤとの対応情報が示されている。したがって、ＰＡＴの情報からマルチプログラム記録方式のトランスポートストリームかシングルプログラム記録方式のトランスポートストリームかが判断できる。なお、上述のＰＡＴの情報からプログラム数が単数かどうかの判断はＣＰＵ２３において行ってもよい。
【００６０】
なお、上述の実施の形態では、マルチプログラム記録方式のトランスポートストリームなら複数のプログラムの中でプログラム番号の最も小さいプログラム番号の映像パケット及び音声パケットを抽出してデコードしているが、マルチプログラム記録方式のトランスポートストリームなら、デコードせずに映像をミュートさせるようにしても良い。
【００６１】
すなわち、図５に示すように、ＰＡＴが解析され、ＰＡＴの情報から、このストリームで送られるプログラム番号及びその数が取得される（ステップＳ１１）。ＰＡＴの情報からプログラム数が単数かどうかが判断される（ステップＳ１２）。プログラム数が単数なら、シングルプログラム記録方式であるとして、そのプログラム番号が選択され（ステップＳ１３）、そのプログラム番号の映像パケット及び音声パケットを取得してデコード処理が行なわれる（ステップＳ１４）。プログラム数が単数でなけば、ＣＰＵ２３からの指令により、表示制御回路４１からミュート信号が発生される（ステップＳ１４）。これにより、映像信号がミュートされる。また、このとき、音声についてもミュートするようにしても良い。
【００６２】
更に、マルチプログラム記録方式のトランスポートストリームなら再生できない旨の表示を行なうようにしても良い。すなわち、図６に示すように、ＰＡＴが解析され、ＰＡＴの情報から、このストリームで送られるプログラム番号及びその数が取得される（ステップＳ２１）。ＰＡＴの情報からプログラム数が単数かどうかが判断される（ステップＳ２２）。プログラム数が単数なら、シングルプログラム記録方式であるとして、そのプログラム番号が選択され（ステップＳ２３）、そのプログラム番号の映像パケット及び音声パケットを取得してデコード処理が行なわれる（ステップＳ２４）。プログラム数が単数でなければ、ＣＰＵ２３からの指令により、画面がミュートされると共に（ステップＳ２５）、「マルチプログラム記録方式のトランスポートストリームのため再生できない」旨の表示信号が発生される（ステップＳ２６）。これにより、画面上に警告画面が映し出される。なお、上述のＰＡＴの情報からプログラム数が単数かどうかの判断はＣＰＵ２３において行ってもよい。
【００６３】
なお、本実施例においては、ＩＲＤ１からのＭＰＥＧ２のトランスポートストリームを、ディジタルビデオカセット記録／再生装置２で記録／再生させる場合について述べたが、ＩＲＤ１からのＭＰＥＧ２のトランスポートストリームをＤＶＤ、ＣＤ−Ｒやハードディスクなどの記録／再生装置で記録／再生させるようにしてもよい。
【図面の簡単な説明】
【００６４】
【図１】この発明が適用されたディジタル衛星放送受信及び記録／再生システムの一例のブロック図である。
【図２】この発明が適用されたディジタル衛星放送受信及び記録／再生システムにおけるＩＲＤの一例のブロック図である。
【図３】この発明が適用されたディジタル衛星放送受信及び記録／再生システムにおけるディジタルビデオカセット記録／再生装置の一例のブロック図である。
【図４】マルチプログラム記録方式のトランスポートストリーム送られてきた場合の処理の一例の説明に用いるフローチャートである。
【図５】マルチプログラム記録方式のトランスポートストリーム送られてきた場合の処理の他の例の説明に用いるフローチャートである。
【図６】マルチプログラム記録方式のトランスポートストリーム送られてきた場合の処理の更に他の例の説明に用いるフローチャートである。
【符号の説明】
【００６５】
１・・・ＩＲＤ，２・・・ディジタルビデオカセット記録／再生装置，３・・・テレビジョン受像機
【図１】
0004748195.tif 000002
【図２】
0004748195.tif 000003
【図３】
0004748195.tif 000004
【図４】
0004748195.tif 000005
【図５】
0004748195.tif 000006
【図６】
0004748195.tif 000007